(57)【要約】【課題】使用時に尿と便とを効果的に分離することができる吸収体物品の提供。【解決手段】底面部を有するシート状の第１防漏体と、前記第１防漏体の前記底面部の左右両側において前後方向に延在する一対の側部部材と、前記第１防漏体の前記底面部と前記側部部材とにより形成される内部空間に少なくとも１層配置された、高吸水性樹脂を含有し体液を吸収しうる吸収体と、前記一対の側部部材に結合してこれらを架橋し、かつ、前記内部空間を前後に仕切り、尿便分離機能を奏する架橋部材とを具備し、前記架橋部材が左右方向に伸縮可能に構成されている、吸収体物品。【選択図】図１
2007236911.tif 000002
【特許請求の範囲】
【請求項１】
底面部を有するシート状の第１防漏体と、
前記第１防漏体の前記底面部の左右両側において前後方向に延在する一対の側部部材と、
前記第１防漏体の前記底面部と前記側部部材とにより形成される内部空間に少なくとも１層配置された、高吸水性樹脂を含有し体液を吸収しうる吸収体と、
前記一対の側部部材に結合してこれらを架橋し、かつ、前記内部空間を前後に仕切り、尿便分離機能を奏する架橋部材と
を具備し、
前記架橋部材が左右方向に伸縮可能に構成されている、吸収体物品。
【請求項２】
前記架橋部材の下端部に、前記第１防漏体または前記吸収体と結合する本体結合部材を有する請求項１に記載の吸収体物品。
【請求項３】
底面部を有するシート状の第１防漏体と、
前記第１防漏体の前記底面部の左右両側において前後方向に延在する一対の側部部材と、
前記第１防漏体の前記底面部と前記側部部材とにより形成される内部空間に少なくとも１層配置された、高吸水性樹脂を含有し体液を吸収しうる吸収体と、
前記一対の側部部材に結合してこれらを架橋する架橋部材と、
前記内部空間を前後に仕切る尿便分離機能を奏する尿便分離部材と
を具備し、
前記架橋部材が左右方向に伸縮可能に構成されている、吸収体物品。
【請求項４】
底面部を有するシート状の第１防漏体と、
前記第１防漏体の前記底面部の左右両側において前後方向に延在する一対の側部部材と、
前記第１防漏体の前記底面部と前記側部部材とにより形成される内部空間に少なくとも１層配置された、高吸水性樹脂を含有し体液を吸収しうる吸収体と、
前記一対の側部部材に結合してこれらを架橋する架橋部材と、
前記第１防漏体の後側において前記吸収体の上側に存在する、シート状の第２防漏体と
を具備し、
前記架橋部材が左右方向に伸縮可能に構成されている、吸収体物品。
【請求項５】
前記第２防漏体の前端部の上面またはその周辺に、便ストップ部材を有する、請求項４に記載の吸収体物品。
【請求項６】
前記架橋部材の下端部に、前記第１防漏体、前記吸収体または前記第２防漏体と結合する本体結合部材を有する請求項４または５に記載の吸収体物品。
【請求項７】
前記架橋部材と前記本体結合部材とが同じ材料で構成されている、請求項２または６に記載の吸収体物品。
【請求項８】
前記架橋部材および／または前記本体結合部材が伸縮性である、請求項２、６または７に記載の吸収体物品。
【請求項９】
前記側部部材が、前記底面部と一体的に形成された前記第１防漏体の一対の延長部と、前記延長部の縁部にそれぞれ沿って設けられた一対の縁部形状保持部材とから構成されている、請求項１〜８のいずれかに記載の吸収体物品。
【請求項１０】
前記側部部材が、伸縮性を有する、請求項１〜９のいずれかに記載の吸収体物品。
【請求項１１】
前記側部部材が、前記底面部の左右両端に設けられたレッグギャザーである、請求項１０に記載の吸収体物品。
【請求項１２】
前記レッグギャザーが、前記底面部に結合する不織布からなる脚部と、前記脚部に結合する弾性体を有する頭部とから構成されているスタンディングレッグギャザーである、請求項１１に記載の吸収体物品。
【請求項１３】
前記架橋部材が、中央部の伸縮性部位と、前記伸縮性部位の左右両側の非伸縮性部位とを有し、前記非伸縮性部位において、前記側部部材と結合している、請求項１〜１２のいずれかに記載の吸収体物品。
【請求項１４】
前記側部部材が伸縮性であり、前記架橋部材が非伸縮性であり、前記側部部材が前記架橋部材と結合することによって、前記架橋部材が左右方向に伸縮可能となっている、請求項１〜１２のいずれかに記載の吸収体物品。
【請求項１５】
前記側部部材および前記架橋部材が伸縮性材料により一体的に構成されている、請求項１〜１２のいずれかに記載の吸収体物品。
【請求項１６】
左右の前記側部部材が前後方向の中央部において結合して、前記架橋部材を構成している、請求項１５に記載の吸収体物品。
【請求項１７】
前記側部部材および前記架橋部材が、前部開口および後部開口を形成している、請求項１５または１６に記載の吸収体物品。
【発明の詳細な説明】
【技術分野】
【０００１】
本発明は、新規吸収体物品に関する。
【背景技術】
【０００２】
紙おむつ等の吸収体物品は、木材パルプ、高吸水性樹脂（Ｓｕｐｅｒ  Ａｂｓｏｒｂｅｎｔ  Ｐｏｌｙｍｅｒ、以下「ＳＡＰ」ともいう。）等の吸収成分を用いた吸収体により着用者から排出された尿を吸収し、また、便（大便）を受容する物品である。従来の吸収体物品には、尿と便とを分離する機能がないため、使用時に尿と便とが混じりやすい。そして、尿と便とが混じり合うと、臭いが強くなり、かぶれが発生しやすくなるなどの問題が生じる。
【０００３】
これに対して、尿と便とを分離する方法が種々提案されている。
例えば、尿と便とを仕切り部材により分離する方法が提案されている（例えば、特許文献１および２参照。）。
また、吸収体物品の後部に開口を設け、この開口の中に便を収容させ、尿と分離する方法が提案されている（例えば、特許文献２〜５参照。）。
また、尿を速やかに吸収して吸収体物品の内部表面から除去することにより、尿と便とが接触しないようにする方法が提案されている（例えば、特許文献６および７参照。）。
【０００４】
【特許文献１】特開平７−２９９０９２号公報
【特許文献２】国際公開第０２／２４１３０号パンフレット
【特許文献３】特開平６−３２７７１５号公報
【特許文献４】特開平６−３４３６６０号公報
【特許文献５】特開平８−５６９８６号公報
【特許文献６】特開平６−９０９７７号公報
【特許文献７】特開平９−２８７３２号公報
【発明の開示】
【発明が解決しようとする課題】
【０００５】
しかしながら、上述した従来の吸収体物品では、尿と便との分離を効果的にすることができなかった。
したがって、本発明は、使用時に尿と便とを効果的に分離することができる吸収体物品を提供することを目的とする。
【課題を解決するための手段】
【０００６】
本発明者は、上記目的を達成すべく鋭意研究した結果、新規構造を有する吸収体物品を完成させた。
【０００７】
即ち、本発明は、以下の（１）〜（１７）を提供する。
（１）底面部を有するシート状の第１防漏体と、
前記第１防漏体の前記底面部の左右両側において前後方向に延在する一対の側部部材と、
前記第１防漏体の前記底面部と前記側部部材とにより形成される内部空間に少なくとも１層配置された、高吸水性樹脂を含有し体液を吸収しうる吸収体と、
前記一対の側部部材に結合してこれらを架橋し、かつ、前記内部空間を前後に仕切り、尿便分離機能を奏する架橋部材と
を具備し、
前記架橋部材が左右方向に伸縮可能に構成されている、吸収体物品。
（２）前記架橋部材の下端部に、前記第１防漏体または前記吸収体と結合する本体結合部材を有する上記（１）に記載の吸収体物品。
（３）底面部を有するシート状の第１防漏体と、
前記第１防漏体の前記底面部の左右両側において前後方向に延在する一対の側部部材と、
前記第１防漏体の前記底面部と前記側部部材とにより形成される内部空間に少なくとも１層配置された、高吸水性樹脂を含有し体液を吸収しうる吸収体と、
前記一対の側部部材に結合してこれらを架橋する架橋部材と、
前記内部空間を前後に仕切る尿便分離機能を奏する尿便分離部材と
を具備し、
前記架橋部材が左右方向に伸縮可能に構成されている、吸収体物品。
【０００８】
（４）底面部を有するシート状の第１防漏体と、
前記第１防漏体の前記底面部の左右両側において前後方向に延在する一対の側部部材と、
前記第１防漏体の前記底面部と前記側部部材とにより形成される内部空間に少なくとも１層配置された、高吸水性樹脂を含有し体液を吸収しうる吸収体と、
前記一対の側部部材に結合してこれらを架橋する架橋部材と、
前記第１防漏体の後側において前記吸収体の上側に存在する、シート状の第２防漏体と
を具備し、
前記架橋部材が左右方向に伸縮可能に構成されている、吸収体物品。
（５）前記第２防漏体の前端部の上面またはその周辺に、便ストップ部材を有する、上記（４）に記載の吸収体物品。
（６）前記架橋部材の下端部に、前記第１防漏体、前記吸収体または前記第２防漏体と結合する本体結合部材を有する上記（４）または（５）に記載の吸収体物品。
（７）前記架橋部材と前記本体結合部材とが同じ材料で構成されている、上記（２）または（６）に記載の吸収体物品。
（８）前記架橋部材および／または前記本体結合部材が伸縮性である、上記（２）、（６）または（７）に記載の吸収体物品。
【０００９】
（９）前記側部部材が、前記底面部と一体的に形成された前記第１防漏体の一対の延長部と、前記延長部の縁部にそれぞれ沿って設けられた一対の縁部形状保持部材とから構成されている、上記（１）〜（８）のいずれかに記載の吸収体物品。
（１０）前記側部部材が、伸縮性を有する、上記（１）〜（９）のいずれかに記載の吸収体物品。
（１１）前記側部部材が、前記底面部の左右両端に設けられたレッグギャザーである、上記（１０）に記載の吸収体物品。
（１２）前記レッグギャザーが、前記底面部に結合する不織布からなる脚部と、前記脚部に結合する弾性体を有する頭部とから構成されているスタンディングレッグギャザーである、上記（１１）に記載の吸収体物品。
（１３）前記架橋部材が、中央部の伸縮性部位と、前記伸縮性部位の左右両側の非伸縮性部位とを有し、前記非伸縮性部位において、前記側部部材と結合している、上記（１）〜（１２）のいずれかに記載の吸収体物品。
（１４）前記側部部材が伸縮性であり、前記架橋部材が非伸縮性であり、前記側部部材が前記架橋部材と結合することによって、前記架橋部材が左右方向に伸縮可能となっている、上記（１）〜（１２）のいずれかに記載の吸収体物品。
（１５）前記側部部材および前記架橋部材が伸縮性材料により一体的に構成されている、上記（１）〜（１２）のいずれかに記載の吸収体物品。
（１６）左右の前記側部部材が前後方向の中央部において結合して、前記架橋部材を構成している、上記（１５）に記載の吸収体物品。
（１７）前記側部部材および前記架橋部材が、前部開口および後部開口を形成している、上記（１５）または（１６）に記載の吸収体物品。
【発明の効果】
【００１０】
本発明の吸収体物品は、使用時に尿と便とを効果的に分離することができる。
【発明を実施するための最良の形態】
【００１１】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。
【００１２】
本発明の第１の態様の吸収体物品は、基本的に、底面部を有するシート状の第１防漏体と、前記第１防漏体の前記底面部の左右両側において前後方向に延在する一対の側部部材と、前記第１防漏体の前記底面部と前記側部部材とにより形成される内部空間に少なくとも１層配置された、高吸水性樹脂を含有し体液を吸収しうる吸収体と、前記一対の側部部材に結合してこれらを架橋し、かつ、前記内部空間を前後に仕切り、尿便分離機能を奏する架橋部材とを具備する。
【００１３】
第１防漏体の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、エアスルータイプ）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、マイクロウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。
【００１４】
第１防漏体は、複数の部材から構成されていてもよい。
【００１５】
第１防漏体は、上述したように、底面部を有する。また、後述するように、第１防漏体の底面部と一体的に形成された一対の延長部を有しており、この延長部が架橋部材を構成していてもよい。
【００１６】
本発明の第１の態様の吸収体物品においては、第１防漏体の底面部の左右両側において一対の側部部材が、前後方向に延在している。一対の側部部材は、左右対称であるのが好ましい。
一対の側部部材は、その端部がほぼ平行になるように配置されているのが好ましい。これにより、着用時においても、側部部材が、前側から後側に向かって、着用者の性器の両側のくぼみを通って鼠径部、更には臀部へと股下を支えるように位置することができるため、架橋部材を着用者の体表面に密着させつつ、側部部材の間隔（開口の幅）を尿および便の受容に必要な程度に保つことを実現することができる。
また、一対の側部部材の端部がほぼ平行になっていると、吸収体物品の製造が容易となる。
【００１７】
側部部材の好ましい態様の一つとして、底面部と一体的に形成された第１防漏体の一対の延長部と、延長部の縁部にそれぞれ沿って設けられた一対の縁部形状保持部材とから構成されている側部部材が挙げられる。
一対の延長部は、底面部の左右両側から上側に立ち上がり縁部が内側になるように曲がって内部空間を形成するものであれば、特に限定されない。
縁部形状保持部材は、延長部の縁部の全長に沿って設けられていてもよいが、本発明においてはこれに特に限定されず、延長部の縁部の前後の端部付近には縁部形状保持部材が設けられていなくてもよい。
【００１８】
縁部形状保持部材は、延長部の縁部の形状を保持させ、縁部を着用者の身体に密着させる機能を有する。これにより、尿や便が第１防漏体の外側に漏れることが効果的に防止される。また、着用時に、側部において、不均一で大きな凹凸が生じることを防止することができる。
縁部形状保持部材の形状は、特に限定されないが、例えば、幅が５０ｍｍ以下、好ましくは２〜２５ｍｍの細幅形状（例えば、糸状、帯状またはチューブ状）とすることができる。
縁部形状保持部材の材料としては、クッション性（弾性）と、ある程度の厚さがあるのが好ましい。例えば、発泡体（例えば、ＰＵ、ＰＰ、ＰＰ／ＥＶＡ製）、合成ゴムシート、伸縮性弾性フィルム、ゴムフィラメント、ポリウレタンフィラメントが好適に挙げられる。また、糸ゴムでギャザーを形成し、それを折り返すことにより、クッション性とある程度の厚さを実現することもできる。
【００１９】
また、側部部材の別の好ましい態様の一つとして、伸縮性を有する側部部材が挙げられる。
伸縮性を有する側部部材は、特に限定されず、例えば、第１防漏体の底面部の左右両端に設けられたレッグギャザーが好適に挙げられる。
レッグギャザーは、特に限定されず、例えば、従来公知のものを用いることができる。より具体的には、例えば、底面部に結合する不織布からなる脚部と、脚部に結合する弾性体を有する頭部（例えば、糸状または帯状の形状を有する頭部）とから構成されているスタンディングレッグギャザーが挙げられる。底面部に結合する不織布は、耐水性を有するのが好ましく、更に防漏性を有するのがより好ましい。
【００２０】
第１防漏体の底面部と左右の側部部材とにより、内部空間が形成されている。
【００２１】
図４２は、第１防漏体の底面部および側部部材の配置を示す模式図である。図４２（Ａ）は平面図であり、図４２（Ｂ）は横端面図である。図４２においては、架橋部材等は省略されている。
図４２に示される第１防漏体においては、底面部と一体的に一対の延長部が形成され、延長部の縁部の全長に沿って一対の縁部形状保持部材が設けられて側部部材を構成しており、側部部材の端部は平行になっている。
図４２に示される第１防漏体は、底面部および側部部材により、前後方向に細長い内部空間を形成している。吸収体物品が尿、便等の排出物を収容する能力は、この内部空間の容積に依存する。
側部部材同士の間隔（Ｌｃ）および側部部材の前後方向の長さ（Ｌｍ）は、所望の吸収体物品の大きさ等に、側部部材の高さ（Ｄｈ）は用いる吸収体の厚さ等に、それぞれ依存して決定される。
【００２２】
側部部材同士の間隔（Ｌｃ）は、尿および便を受容しやすいという点で、長い方が好ましい。具体的には、例えば、吸収体物品が小児用である場合は、Ｌｃが２５ｍｍ以上であるのが好ましく、４０ｍｍ以上であるのがより好ましい。上記範囲であると、前側の尿受容部において、性器（男児用仕様の場合、ペニスおよび睾丸；女児用仕様の場合、大陰唇）の収容を確実に行うことができ、後側の便受容部において、左右の臀部が形成する谷間に側部部材の上部が収束して入り込んでしまって開口の形状を保持することができなくなるということが起こりにくい。
また、側部部材同士の間隔（Ｌｃ）は、８０ｍｍ以下であるのが好ましい。上記範囲であると、着用者の体表面との間に隙間が生じにくく、密着性に問題が生じない。また、臀部の沈み込む部分が小さいため、便排出によって汚れる臀部の面積が小さい。
側部部材は、着用時に左右方向に移動したり、変形したりするが、それらの程度を抑制するために、後述するように、一対の側部部材に結合してこれらを架橋する架橋部材が設けられる。また、シート状の吸収体を第１防漏体の延長部と接合により一体化させて側部部材を補強し、形態安定性を付与するのも好ましい態様の一つである（図１６〜図１８参照。）。
【００２３】
内部空間には、吸収体が配置されている。
本発明に用いられる吸収体は、高吸水性樹脂を含有し体液を吸収しうるものであれば特に限定されず、例えば、粉末状の木材パルプ、無加工のＳＡＰ等の粉体状吸収体を用いることもできるが、形態安定性、脱落の可能性等を考慮すると、シート状吸収体が好ましい。中でも、不織布上に前記高吸水性樹脂をコーティングしてなるシート状吸収体が好ましい。
吸収体の種類は、用途に応じて適宜選択することができる。例えば、本発明の吸収体物品を子供用おむつとする場合、新生児用や月齢の低い乳児用（大きさで言えば、Ｓサイズ）としては、木材パルプの含有量が多いものが好ましく、また、月齢の高い乳児用（大きさで言えば、ＭサイズやＬサイズ）としては、ＳＡＰの含有量が多いものが好ましい。
【００２４】
シート状吸収体の中でも、ＳＡＰを５０質量％以上、好ましくは６０〜９５質量％含有する高吸水性シートであるのが好ましい態様の一つである。
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰが知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００２５】
吸収体は、少なくとも１層配置される。即ち、吸収体は、１層であってもよく、２層以上（複数層）であってもよい。
また、吸収体は、折りたたんだ状態で配置することもできる。
【００２６】
本発明の第１の態様の吸収体物品は、一対の側部部材に結合してこれらを架橋し、かつ、内部空間を前後に仕切り、尿便分離機能を奏する架橋部材を具備する。この架橋部材は、側部部材相互の間隔を維持するという効果も奏する。
【００２７】
架橋部材は、一部または全体に伸縮性を有しているのが好ましい。
【００２８】
架橋部材の第１の役割は、左右の側部部材間を架橋することによって、側部部材の左右、上下および前後の動きを制限し、側部部材（側部部材が縁部形状保持部材を有する場合は、縁部形状保持部材）と着用者の体表面との接触位置を動かないように保持することである。
しかしながら、それと同時に、側部部材（側部部材が縁部形状保持部材を有する場合は、縁部形状保持部材）は、着用者の動作や体位の変化に対応することができるような可動性があるのが好ましい。架橋部材が一部または全体に伸縮性を有していると、このような可動性が得られる。
架橋部材の第２の役割は、本発明の目的である尿便分離機能を発揮するために、着用者の会陰部分に常に密着するようなシール機能を発揮することである。架橋部材が一部または前部に伸縮性を有していると、このような密着状態が着用者の動作や体位の変化の際にも維持される。
【００２９】
図４３および図４４は、側部部材と全体に伸縮性を有する架橋部材との位置関係を示す模式的な平面図である。
図４３は、吸収体物品を着用した場合の架橋部材の収縮時（図４３（Ａ））および伸張時（図４３（Ｂ））の会陰部近傍における架橋部材の示す挙動を模式的に示したものである。
架橋部材５の収縮時には、側部部材２５同士の間隔はＬｃ１であり、架橋部材５の側部部材２５との結合部における幅Ｗ１と架橋部材５の左右方向の中央部における幅Ｗ２との関係はＷ１＝Ｗ２である（図４３（Ａ）参照。）。
架橋部材５の伸張時には、側部部材２５同士の間隔はＬｃ２に広がり（即ち、Ｌｃ２＞Ｌｃ１）、Ｗ１＞Ｗ２となる。
収縮時から伸張時になる際の変形の状態および程度は設計によって異なる。
側部部材２５同士の間隔の伸長率（Ｌｃ２／Ｌｃ１）は、１２０〜３００％であるのが好ましく、１５０〜２５０％であるのがより好ましい。上記範囲であると、伸縮性効果が発揮されやすい。また、伸張時に着用者の会陰部近傍への圧迫が強くなりすぎたり、収縮時に収縮により生じた固まりが着用者の会陰部近傍へ当たったりすることがなく、着用性に優れる。
伸張率（Ｌｃ２／Ｌｃ１）を上記範囲とするためには、架橋部材に用いられる弾性材料の種類、幅、厚さ、弾性部位の位置等を、好ましくはドールテスト、着用テスト等の結果を踏まえて、適宜設定する。
【００３０】
図４４は、架橋部材の伸張時の吸収体物品の前後方向の全長における架橋部材および側部部材の示す挙動を模式的に示したものである。
側部部材の形状は、吸収体物品の前部および後部における規制状態により、異なったものとなる。
例えば、吸収体物品の腰部での位置規制が少ない場合は、図４４（Ａ）に示されるように、側部部材２５はほぼ平行状態を保ったまま変位する。
ウエストバンド型おむつのように、着用時に吸収体物品の腰部が伸長される場合は、図４４（Ｂ）に示されるように、側部部材２５は、その間隔が前方および後方に向かって広がるように変形する。
吸収体物品の腰部でポケットを形成する場合のように、側部部材の間隔が前後両端において固定されているような場合は、図４４（Ｃ）に示されるように、側部部材２５は、その中央部の間隔のみが伸張するため、その間隔が前方および後方に向かって狭くなるように変形する。
【００３１】
図２２〜図２４は、一部または全体に伸縮性を有する架橋部材の種々の例を示す模式的な平面図である。なお、本発明においては、「非伸縮性部分」には、伸縮性が弱い部分を含む。
図２２は、左右方向の全体に伸縮性部分を有する架橋部材の種々の例を示す模式的な平面図である。図２２（Ａ）〜図２２（Ｄ）においては、波線部が伸縮性材料で構成された伸縮性部分を示し、左右両側の部位が側部部材を示す。伸縮性材料は、特に限定されないが、例えば、ウレタンシート、ウレタンフィラメントが挙げられる。
【００３２】
図２２（Ａ）に示される架橋部材は、全体が伸縮性材料で構成された伸縮性部分である。この架橋部材は、全体が伸縮するため、着用者の会陰の凹凸に沿って密着する。
図２２（Ｂ）に示される架橋部材は、前後が伸縮性部分であり、その間が非伸縮性部分である。この架橋部材は、着用者の会陰の凹凸に沿って密着し、また、前後の伸縮性部分が高い尿便分離機能を奏する。
図２２（Ｃ）に示される架橋部材は、前後が非伸縮性部分であり、その間が伸縮性部分である。この架橋部材は、前後方向の中央部の伸縮性部分が着用者の会陰の窪みに嵌り込み、前後の非伸縮性部分が着用者の会陰前後の部分に緩やかに添う。
図２２（Ｄ）に示される架橋部材は、Ｘ字型部分が伸縮性部分であり、それ以外の部分が非伸縮性部分である。この架橋部材は、着用者の会陰の凹凸に沿って密着する。
なお、図２２（Ｂ）〜図２２（Ｄ）は、いずれも架橋部材を左右に引っ張って伸ばした状態を示す図であり、引っ張らない状態では、伸縮性部分が収縮し、それに伴い非伸縮性部分にはしわが生じた形状となっている。
【００３３】
図２３は、左右方向の中央部に非伸縮性部分を有し、左右両側に伸縮性部分を有する架橋部材の種々の例を示す模式的な平面図である。図２３（Ａ）〜図２３（Ｄ）においては、左右両側の部位が側部部材を示す。
図２３（Ａ）に示される架橋部材は、左右方向の中央部に非伸縮性部分を有し、左右両側に伸縮性部分を有しており、伸縮性部分は、前後方向の長さが非伸縮性部分より若干短くなっている。非伸縮性部分の材料は、特に限定されないが、例えば、ある程度の厚さとクッション性のあるウレタンフォームが挙げられる。伸縮性部分の材料は、特に限定されないが、例えば、薄くて伸縮性のあるウレタンフィルムが挙げられる。
図２３（Ｂ）に示される架橋部材は、左右方向の中央部に非伸縮性部分を有し、左右両側に斜め方向に伸びる太い２本の伸縮性部分を有している。非伸縮性部分の材料は、特に限定されないが、例えば、ＰＰフォームが挙げられる。伸縮性部分の材料は、特に限定されないが、例えば、合成ゴムフィルムが挙げられる。
図２３（Ｃ）に示される架橋部材は、左右方向の中央部に非伸縮性部分を有し、左右両側に斜め方向に伸びる細い２本の伸縮性部分を有している。非伸縮性部分の材料は、特に限定されないが、例えば、ＰＰ不織布が挙げられる。伸縮性部分の材料は、特に限定されないが、例えば、糸ゴムが挙げられる。
図２３（Ｄ）に示される架橋部材は、左右方向の中央部に非伸縮性部分を有し、左右両側に伸縮性部分を有しており、伸縮性部分は、前後方向の長さが非伸縮性部分より若干長くなっている。この架橋部材は、例えば、不織布の左右両側のみに糸ゴムを配置して結合させて得ることができる。
【００３４】
図２４は、左右方向の中央部に伸縮性部分を有し、左右両側に非伸縮性部分を有する架橋部材の種々の例を示す模式的な平面図である。図２４（Ａ）〜図２４（Ｃ）においては、左右両側の部位が側部部材を示す。
図２４（Ａ）に示される架橋部材は、左右方向の中央部にシート状の伸縮性部分を有し、左右両側に非伸縮性部分を有している。伸縮性部分の材料は、特に限定されないが、例えば、合成ゴムフィルムが挙げられる。
図２４（Ｂ）に示される架橋部材は、左右方向の中央部にしわを有する伸縮性部分を有し、左右両側に非伸縮性部分を有している。伸縮性部分は、例えば、不織布に糸ゴムを引っ張った状態で配置させて結合した後、引っ張るのを止めることにより、不織布がしわを形成するので、これを用いることができる。
図２４（Ｃ）に示される架橋部材は、左右方向の中央部に伸縮性部分を有し、左右両側に非伸縮性部分を有しており、伸縮性部分は、前後方向の長さが非伸縮性部分より若干短くなっている。この架橋部材は、例えば、不織布の左右方向の中央部のみにポリウレタンフィラメントを配置して結合させて得ることができる。
【００３５】
架橋部材の好ましい態様の一つとして、中央部の伸縮性部位と、伸縮性部位の左右両側の非伸縮性部位とを有し、非伸縮性部位において、側部部材と結合している架橋部材が挙げられる。例えば、図２４（Ａ）〜（Ｃ）に示される架橋部材が挙げられる。
【００３６】
架橋部材の別の好ましい態様の一つとして、側部部材が伸縮性であり、架橋部材が非伸縮性であり、前記側部部材が前記架橋部材と結合することによって、架橋部材が左右方向に伸縮可能となっている架橋部材が挙げられる。
【００３７】
架橋部材の更に別の好ましい態様の一つとして、側部部材および架橋部材が伸縮性材料により一体的に構成されている架橋部材が挙げられる。
図２５は、側部部材および架橋部材が伸縮性材料により一体的に構成されている架橋部材の種々の例を示す模式的な平面図である。
図２５（Ａ）に示される一体的に構成されている側部部材および架橋部材は、左右両側の伸縮性材料からなる側部部材に、前後方向の中央部において、前後方向に切り込みを入れ、切り込みの内側の部分を内側に引っ張って結合させて得ることができる。
図２５（Ｂ）に示される一体的に構成されている側部部材および架橋部材は、左右両側の伸縮性材料からなる側部部材を、前後方向の中央部において、内側に引っ張って結合させて得ることができる。
図２５（Ｃ）に示される一体的に構成されている側部部材および架橋部材は、伸縮性材料により、図示される形状に形成させて得ることができる。
【００３８】
本発明の第１の態様の吸収体物品においては、架橋部材は、内部空間を前後に仕切り、物理的に、尿および便の移動を妨げる。
【００３９】
図２６は、架橋部材の形状の種々の例を示す模式的な縦端面図である。図２６においては、左側が吸収体物品の前側に相当する。なお、図２６は、架橋部材の左右方向における中央の端面の形状を示すものであり、左右方向の形状はこれと同一でなくてもよい。
図２６（Ａ）に示される架橋部材は、平板状の縦端面を有する。図２６（Ａ）に示される架橋部材は、例えば、その下面で第１防漏体の底面部または吸収体と結合することにより、内部空間を前後に仕切り、物理的に、尿および便の移動を妨げる。
図２６（Ｂ）に示される架橋部材は、Ｔ字型の縦端面を有する。図２６（Ｂ）に示される架橋部材は、例えば、その縦方向に延在する部分の下面で第１防漏体の底面部または吸収体と結合することにより、内部空間を前後に仕切り、物理的に、尿および便の移動を妨げる。
【００４０】
図２６（Ｃ）に示される架橋部材は、逆Ｃ字型の縦端面を有する。図２６（Ｃ）に示される架橋部材は、例えば、その下側の部分の下面で第１防漏体の底面部または吸収体と結合することにより、内部空間を前後に仕切り、物理的に、尿および便の移動を妨げる。なお、縦方向に延在する部材の傾きは、図と逆でもよく、垂直でもよい。
図２６（Ｄ）に示される架橋部材は、Ｚ字型の縦端面を有する。図２６（Ｄ）に示される架橋部材は、例えば、その下側の部分の下面で第１防漏体の底面部または吸収体と結合することにより、内部空間を前後に仕切り、物理的に、尿および便の移動を妨げる。なお、縦方向に延在する部材の傾きは、図と逆でもよく、垂直でもよい。
【００４１】
架橋部材は、その下端部に第１防漏体または吸収体と結合する本体結合部材を有することができる。これにより、尿便分離がより効果的に行われる。
本体結合部材の材料は、特に限定されず、例えば、接着剤、ゴム、フィルム、フォーム（発泡体）、不織布、ネット状シートが挙げられる。
この場合、架橋部材と本体結合部材とが同じ材料で構成されているのが好ましい態様の一つである。また、架橋部材および／または本体結合部材が伸縮性であるのが別の好ましい態様の一つである。
【００４２】
図２７は、本体結合部材の種々の配置の例を示す模式的な縦端面図である。図２７においては、左側が吸収体物品の前側に相当する。なお、図２７は、吸収体物品の左右方向における中央の端面の形状を示すものであり、各部材の左右方向の形状はこれと同一でなくてもよい。
図２７（Ａ）においては、架橋部材５は、第１防漏体２の上面と、本体結合部材２１を介して結合して内部空間を前後に仕切っている。仕切られた内部空間の前側には、吸収体３が存在している。
図２７（Ｂ）においては、架橋部材５は、第１防漏体２の上側に存在する吸収体３と、本体結合部材２１を介して結合して内部空間を前後に仕切っている。
【００４３】
図２８は、本体結合部材の種々の配置の例を示す模式的な横端面図である。
図２８（Ａ）においては、架橋部材５は、第１防漏体２の底面部の上面と、左右方向の中央部に存在する本体結合部材２１を介して結合している。
図２８（Ｂ）においては、架橋部材５は、第１防漏体２の底面部の上面と、左右両側に存在する本体結合部材２１を介して結合している。
なお、図２８（Ａ）および図２８（Ｂ）のいずれにおいても、架橋部材５は、その上面の左右両側において、第１防漏体２の側部部材の内面と結合している。
【００４４】
本発明の第１の態様の吸収体物品においては、架橋部材が左右方向に伸縮可能に構成されている。したがって、架橋部材が、着用者の脚の開閉等の動作の際にも、着用者の身体の動きに追従して着用者の会陰に接触した状態を維持することができる。これにより、尿と便とが効果的に分離される。
【００４５】
本発明者は、尿便分離を目的とするおむつについて検討し、以下のような知見を得た。
即ち、尿便分離を目的とするおむつは、種々の着用者に対して使用することができるようにするためには、大人と子供の相違および男性と女性の相違に対応すべく、着用者に合うような大きさとすることが有効な手段の一つである。
しかしながら、着用者に合うような大きさのおむつを、個々の着用者に対して用意することは、商業上不可能であり、尿と便との効果的な分離は困難である。
また、個々の着用者の体型の相違や、着用の際の体位変化や動作の変化に対応するためには、おむつの大きさだけで対応することは不可能であり、尿と便との効果的な分離は困難である。
【００４６】
本発明者は、上記知見に基づき、尿便分離を目的とするおむつにおいて、防漏体の左右に配置される側部部材を架橋し、おむつの内部空間を前後に仕切り、尿便分離機能を奏する架橋部材を設け、更に、この架橋部材を左右方向に伸縮可能に構成することにより、大人と子供の相違および男性と女性の相違への対応、個々の着用者の体型の相違への対応および着用の際の体位変化や動作の変化への対応が可能となることを見出し、本発明を完成させたのである。
【００４７】
架橋部材が尿便分離機能を奏するためには、着用時に、所望の位置、即ち、着用者の会陰に接触した状態で維持される必要がある。着用者の会陰付近は凹凸が比較的大きいため、架橋部材にはその凹凸に応じて変形しうる追従性が必要である。
また、おむつは、寝たり、座ったり、横になったり、仰向けになったりするという様々な体位で使用され、更に、はいはいをしたり歩行したりするという様々な動作も行われる。したがって、架橋部材は、上下、前後および左右の種々の動きに対する追従性が必要である。
本発明においては、架橋部材が左右方向に伸縮可能に構成されているので、これらの追従性に優れ、その結果、尿と便との効果的な分離が可能となっている。
【００４８】
架橋部材を左右方向に伸縮可能に構成する手段は、特に限定されないが、例えば、架橋部材自体を伸縮性を有する材料で構成する手段、架橋部材が結合する部材（例えば、側部部材、第１防漏体、後述する本発明の第３の態様においては、更に、第２防漏体）を伸縮性を有する材料で構成する手段、架橋部材が結合する部材やその周辺の部材の構造により架橋部材が左右方向に伸縮可能となるように構成する手段、これらを組み合わせた手段が挙げられる。
【００４９】
本発明の第２の態様の吸収体物品は、基本的に、底面部を有するシート状の第１防漏体と、前記第１防漏体の前記底面部の左右両側において前後方向に延在する一対の側部部材と、前記第１防漏体の前記底面部と前記側部部材とにより形成される内部空間に少なくとも１層配置された、高吸水性樹脂を含有し体液を吸収しうる吸収体と、前記一対の側部部材に結合してこれらを架橋する架橋部材と、前記内部空間を前後に仕切る尿便分離機能を奏する尿便分離部材とを具備する。
【００５０】
本発明の第２の態様の吸収体物品は、基本的に、本発明の第１の態様の吸収体物品と同様であるので、相違する点のみ説明する。
本発明の第２の態様の吸収体物品は、内部空間を前後に仕切る尿便分離機能を奏する尿便分離部材を具備する点、および、そのため、架橋部材に尿便分離機能が要求されない点で、相違する。本発明の第２の態様の吸収体物品においては、尿便分離機能を奏する尿便分離部材を具備するため、架橋部材に尿便分離機能がない場合であっても、尿と便とを効果的に分離することができる。
【００５１】
尿便分離部材は、内部空間を前後に仕切り、物理的に、尿および便の移動を妨げることができるものであれば、特に限定されない。例えば、接着剤、ゴム、フィルム、フォーム（発泡体）、不織布、ネット状シートが挙げられる。
尿便分離部材により内部空間を、尿受容部と便受容部とに分離させることにより、尿便分離処理が可能となる。尿受容部と便受容部との分離は、完全であるのが好ましいが、両者がつながっていても、その部分がわずかであれば、または、尿が拡散しにくい吸収体を用いれば、実質的に尿便分離処理が可能となる。
【００５２】
図２９は、尿便分離部材の種々の形状および配置の例を示す模式的な縦端面図である。図２９においては、左側が吸収体物品の前側に相当する。なお、図２９は、吸収体物品の左右方向における中央の端面の形状を示すものであり、各部材の左右方向の形状はこれと同一でなくてもよい。
図２９（Ａ）においては、縦方向に延在する平板状の尿便分離部材２２が、架橋部材５の下面と結合し、かつ、第１防漏体２の上側に存在する吸収体３の上面と接着剤により結合することにより、内部空間を前後に仕切っている。
図２９（Ｂ）においては、縦方向に延在する平板状の尿便分離部材２２が、第１防漏体２の上側に存在する吸収体３の上面と接着剤により結合することにより、内部空間を前後に仕切っている。尿便分離部材２２は、架橋部材５の下面と結合しておらず、尿受容部と便受容部との分離は完全ではないが、その間隙はわずかであるので、実質的に尿便分離処理が可能である。
図２９（Ｃ）においては、縦方向に延在する平板状の尿便分離部材２２が、架橋部材５の下面と接着剤により結合し、また、第１防漏体２の上側に存在する吸収体３の上面と接着剤により結合することにより、内部空間を前後に仕切っている。
図２９（Ｄ）においては、Ｚ字型の尿便分離部材２２が、架橋部材５の下面と接着剤により結合し、かつ、第１防漏体２の上側に存在する吸収体３の上面と接着剤により結合することにより、内部空間を前後に仕切っている。
図２９（Ｅ）においては、Ｚ字型の尿便分離部材２２が、架橋部材５の下面と接着剤により結合し、かつ、第１防漏体２の上側に存在する吸収体３の上面と接着剤により結合することにより、内部空間を前後に仕切っている。Ｚ字型の尿便分離部材２２の下部は、前側に大きく張り出している。この態様においては、座位での排便時等の前向きに便が押し出された場合に、Ｚ字型の尿便分離部材２２の下部が袋を形成して、便を受け止めることができる。
【００５３】
本発明の第２の態様の吸収体物品においては、本発明の第１の態様の吸収体物品に用いられる架橋部材を好適に用いることができるが、更に別の好適な架橋部材について説明する。
図３０は、一部または全体に伸縮性を有する架橋部材の種々の例を示す模式的な平面図である。
図３０（Ａ）〜図３０（Ｃ）に示される架橋部材は、それぞれ非伸縮性材料（例えば、不織布）の内部に破線で示された伸縮性材料（例えば、ゴム）が配置された構成となっている。
図３０（Ｄ）に示される架橋部材は、その全体が伸縮性材料で構成されている。
【００５４】
図３０（Ａ）〜図３０（Ｄ）に示されるように、架橋部材の縦方向の幅を左右両側において広く、中央部において細くし、その間の幅の変化をなだらかにした場合、架橋部材が着用者の会陰部近傍に接触する際の支点を安定化する効果を奏する。そのうえ、会陰部近傍のかたちが、女性、特に女児の大陰唇のように、肛門に近づくにつれ、幅が細くなり、かつ、鼠径部との高低差がなだらかになくなっていくようなかたちであっても、高低差がはっきりしている大陰唇の上部または臀部のふくらみを利用して体に密着させるという効果も奏する。この場合、架橋部材の中央部における縦方向の幅を、排尿口と肛門との間の長さより短くすることで、尿道口および肛門を塞ぐことなくこれらの効果を実現することができる。
また、図３０（Ａ）に示されるように、架橋部材の前後両端に沿って伸縮性材料が配置されている場合は、前側の部分は大陰唇や睾丸のふくらみに密着し、後側の部分は臀部に密着する。
図３０（Ｂ）に示されるように、架橋部材の前後方向の中央部に伸縮性材料が配置されている場合は、中央の伸縮する部分が会陰部のくぼみに配置されるように着用することにより、前側の部分は大陰唇や睾丸のふくらみに柔らかく接触し、後側の部分は臀部に柔らかく接触するため、着用者の違和感を軽減することができる。
図３０（Ｃ）に示されるように、架橋部材の前側の部分のみに前後方向の位置の変化をつけることもできる。
図３０（Ｄ）に示されるように、架橋部材の前後両端に、カーブ（例えば、前側に凸となるカーブ）をつけることで、それにより生じる高低差を利用することもできる。
【００５５】
本発明の第３の態様の吸収体物品は、基本的に、底面部を有するシート状の第１防漏体と、前記第１防漏体の前記底面部の左右両側において前後方向に延在する一対の側部部材と、前記第１防漏体の前記底面部と前記側部部材とにより形成される内部空間に少なくとも１層配置された、高吸水性樹脂を含有し体液を吸収しうる吸収体と、前記一対の側部部材に結合してこれらを架橋する架橋部材と、前記第１防漏体の後側において前記吸収体の上側に存在する、シート状の第２防漏体とを具備する。
【００５６】
本発明の第３の態様の吸収体物品は、基本的に、本発明の第１の態様の吸収体物品と同様であるので、相違する点のみ説明する。
本発明の第３の態様の吸収体物品は、第１防漏体の後側において吸収体の上側に存在する、シート状の第２防漏体とを具備する点、および、そのため、架橋部材に尿便分離機能が要求されない点で、相違する。本発明の第３の態様の吸収体物品においては、便を第２防漏体上に収容することができる。したがって、架橋部材に尿便分離機能がない場合であっても、尿と便とを効果的に分離することができる。
【００５７】
第２防漏体の材質は、上述した第１防漏体と同様のものを用いることができるが、流動性の大きい便、例えば、軟便、水様便等の固形分が液体に分散したような状態の便を安定に処理するためには、多孔性の材料を用いて固形分をろ別する機能を付与するのが好ましい。そのような機能を有する材料としては、例えば、本発明者が特開２００３−１０３６７７号公報で提案したような不織布と繊維ウェブとの複合体シート（例えば、ある程度耐水性のあるＳＭＳと疎水性ウェブとの複合シート）が好適に挙げられる。また、生理用ナプキンのトップシートとして用いられているような、逆戻りしにくい漏斗状断面をもつ開口ポリエチレンフィルムも好適に挙げられる。
第２防漏体は、複数の部材から構成されていてもよい。
第２防漏体は、例えば、平面状とすることができるが、形状を特に限定されない。例えば、前後方向の長さおよび位置、左右方向の長さ等を特に限定されない。具体的には、その縁部が上側に持ち上がっている容器状になっている形状が好適に挙げられる。この場合、便が第２防漏体上に収容されやすい。
【００５８】
本発明の第３の態様の吸収体物品においては、第２防漏体の前端部の上面またはその周辺には、便ストップ部材を有するのが好ましい態様の一つである。便ストップ部材は、第２防漏体と結合していてもよく、結合していなくてもよい。
便ストップ部材は、便受容部に排出された便が、尿受容部に移動することをより効果的に防止する。
便ストップ部材の材料は、特に限定されず、例えば、接着剤、ゴム、フィルム、フォーム（発泡体）、不織布、ネット状シートが挙げられる。
【００５９】
図３１は、便ストップ部材の種々の配置の例を示す模式的な縦端面図である。図３１においては、左側が吸収体物品の前側に相当する。なお、図３１は、吸収体物品の左右方向における中央の端面の形状を示すものであり、各部材の左右方向の形状はこれと同一でなくてもよい。
図３１（Ａ）においては、縦方向に延在する平板状の便ストップ部材６が、架橋部材５と、第１防漏体２の上側に存在する第２防漏体７の前端部との間に存在する。
図３１（Ｂ）においては、縦方向に延在する平板状の便ストップ部材６が、架橋部材５と、第１防漏体２の上側に存在する第２防漏体７の前部との間に存在する。
図３１（Ｃ）においては、縦方向に延在する平板状の便ストップ部材６が、架橋部材５の下側に、かつ、第１防漏体２の上側に存在する第２防漏体７の前端部より前方に存在する。
図３１（Ａ）〜図３１（Ｃ）のいずれにおいても、便ストップ部材６は、架橋部材５の下面と結合しておらず、また、第２防漏体７と結合してないので、尿受容部と便受容部との分離は完全ではないが、その間隙はわずかであるので、実質的に尿便分離処理が可能である。
【００６０】
また、便受容部において、更に、第１防漏体と第２防漏体との間に吸収体を配置させて、その吸収体を尿受容部から連続させて設けているのが好ましい態様の一つである。これにより、便受容部の第２防漏体の下に存在する部分をも尿の吸収のために利用することができるため、尿収容能力を拡大することができる。
この場合、第２防漏体の前後および／または側面の一部に、下側に連絡する流路を設けると、軟便が便受容部に受容された場合に、その水分を流路を通じて第２防漏体の下側に存在する吸収体に吸収させ、軟便が漏れることを防止することができる。
【００６１】
本発明の第３の態様の吸収体物品においては、架橋部材は、尿便分離機能を有していなくてもよいが、本発明の第１の態様の吸収体物品に用いられる架橋部材と同様に、尿便分離機能を有していてもよい。
架橋部材は、その下端部に第１防漏体、吸収体または第２防漏体と結合する本体結合部材を有することができる。
この場合、架橋部材と本体結合部材とが同じ材料で構成されているのが好ましい態様の一つである。また、架橋部材および／または本体結合部材が伸縮性であるのが別の好ましい態様の一つである。
【００６２】
図３２は、本体結合部材の種々の配置の例を示す模式的な縦端面図である。図３２においては、左側が吸収体物品の前側に相当する。なお、図３２は、吸収体物品の左右方向における中央の端面の形状を示すものであり、各部材の左右方向の形状はこれと同一でなくてもよい。
図３２（Ａ）においては、架橋部材５は、第２防漏体７の前端部の上面と、接着剤からなる結合部材２１を介して結合している。第１防漏体２の上側に存在する吸収体３は、第２防漏体７の下側の前部にまで達している。
図３２（Ｂ）においては、架橋部材５は、第２防漏体７の前端部の上面と、結合部材２１およびその上下の接着剤を介して結合している。第１防漏体２の上側に存在する吸収体３は、第２防漏体７の下側においてその後端より後側にまで達している。
【００６３】
第２防漏体は、取り外し可能とすることができる。また、第２防漏体上に便処理用シートを設け、便処理用シートを取り外し可能とすることもできる。
一般に、使用後のおむつは、排出された便はトイレに流すなどしてから、ゴミとして処理するように取り扱われている。本発明においては、第２防漏体または便処理用シートが取り外し可能であると、排出された便を第２防漏体または便処理用シートごと吸収体物品本体から取り外すことができるので有用である。この場合、便処理用シートは、水解性シートまたは生分解性素材で構成されているのが好ましい。
第２防漏体および／または便処理用シートが架橋部材と結合している場合、架橋部材の前部と後部とを切り離し可能な態様とすることにより、第２防漏体および／または便処理用シートと、それに結合している架橋部材の後部とを取り外することができる。その場合、架橋部材の後部は取っ手の役割も果たす。
架橋部材の前部および後部は、同じ材料で構成することもでき、別の材料で構成することもできる。例えば、架橋部材の前部が伸縮性を有し、架橋部材の後部が伸縮性を有しないものとすることができる。架橋部材の後部は、水解性シートまたは生分解性素材で構成されていることも好ましい態様の一つである。
架橋部材の前部は、尿ストップ部材として機能するものであってもよい。架橋部材の後部は、便ストップ部材として機能するものであってもよい。
架橋部材の後部は第２防漏体および便処理用シートの一方にのみ結合していてもよく、両方に結合していてもよい。
架橋部材の前部は、側部部材のみに結合していてよく、更に、第１防漏体および／または吸収体と結合していてもよい。
【００６４】
図４５は、取り外し可能な第２防漏体および／または便処理用シートの種々の配置の例を示す模式的な縦端面図である。図４５においては、左側が吸収体物品の前側に相当する。なお、図４５は、吸収体物品の左右方向における中央の端面の形状を示すものであり、各部材の左右方向の形状はこれと同一でなくてもよい。
図４５（Ａ）においては、架橋部材５が逆Ω字型の縦端面を有しており、その後部の下側で第２防漏体７の前部と結合している。架橋部材５は、前部と後部との間（図中の点線の位置）で切れ目等により切り離し可能となっており、第２防漏体７上に便が排出された場合には、前部と後部とを切り離して、第２防漏体７と架橋部材の後部とを取り外して捨てることができる。
図４５（Ｂ）においては、架橋部材５が逆Ω字型の縦端面を有しており、その後部が第２防漏体７の上部に存在する便処理用シート２４の前部と結合している。架橋部材５と第２防漏体７とは結合していない。架橋部材５は、前部と後部との間（図中の点線の位置）で切れ目等により切り離し可能となっており、便処理用シート２４上に便が排出された場合には、前部と後部とを切り離して、便処理用シート２４と架橋部材の後部とを取り外して捨てることができる。
図４５（Ｃ）においては、架橋部材５が逆Ω字型の縦端面を有しており、その後部の下側で第２防漏体７の前部と結合している。架橋部材５は、前部と後部とが別部材で構成され、接着剤等により弱く結合しており、その部分で切り離し可能となっており、第２防漏体７上に便が排出された場合には、前部と後部とを切り離して、第２防漏体７と架橋部材の後部とを取り外して捨てることができる。
なお、前部と後部とが切り離し可能な架橋部材の形状は、上述した逆Ω字型のものに限定されない。
【００６５】
以下、より具体的な実施態様を挙げて更に詳細に説明する。
＜実施態様１＞
図１〜図７は、パンツ型おむつ（テープレス型おむつ）の態様とした本発明の吸収体物品を示す模式図である。
図１は、平面展開図である。なお、図１は、図７に示される結合部１０の付近を切断して展開した図であり、図１においては、図の上側に吸収体物品の前側が位置するように図示してある。
また、図２は、図１中のＸ１−Ｘ１′線に沿った横端面図であり、図３は、図１中のＸ２−Ｘ２′線に沿った横端面図であり、図４は、図１中のＸ３−Ｘ３′線に沿った横端面図であり、図５は、図１中のＹ−Ｙ′線に沿った縦端面図である。
図６は、図１中、架橋部材５の周辺部を示す模式的な平面図である。
図７は着用時の状態を示す斜視図である。
図１〜図７中、斜線部は接着剤を示す。
【００６６】
本発明の吸収体物品１は、基本的に、底面部を有するシート状の第１防漏体２と、第１防漏体２の前記底面部の左右両側において前後方向に延在する一対の側部部材であるスタンディングレッグギャザー８と、第１防漏体２の前記底面部と側部部材であるスタンディングレッグギャザー８とにより形成される内部空間に配置された、高吸水性樹脂を含有し体液を吸収しうる吸収体３と、一対の側部部材であるスタンディングレッグギャザー８に結合してこれらを架橋し、かつ、前記内部空間を前後に仕切り、尿便分離機能を奏する架橋部材５とを具備し、架橋部材５およびスタンディングレッグギャザー８が伸縮性を有することにより、架橋部材５が左右方向に伸縮可能である、吸収体物品である。
【００６７】
図１に示される吸収体物品１においては、左右両側にレッグホールＬＨを形成する底面部を有するシート状の第１防漏体２上に、Ｃ型形状に折りたたまれたシート状の吸収体３が配置され、その上には液透過性のＰＰ製サーマルボンド（例えば、レンゴー（株）製、目付量２０ｇ／ｍ2）からなるトップシート４、更に、その上には最表面で着用者の肌に接するスキンコンタクトシートが配置されている。
スキンコンタクトシートは、上層の第１スキンコンタクトシートＡと下層の第２スキンコンタクトシートＢとの２層構造からなる。第１スキンコンタクトシートＡおよび第２スキンコンタクトシートＢは、いずれも疎水性のＰＰＳＢ（例えば、Ｔｏｒａｙ  Ｓａｅｈａｎ社製、目付量１３ｇ／ｍ2）である。第１スキンコンタクトシートＡと第２スキンコンタクトシートＢとの間には、後述する伸縮材料が挟みこまれている。
【００６８】
第１防漏体２の底面部の左右両側には、一対の側部部材であるスタンディングレッグギャザー８が前後方向に延在している。
スタンディングレッグギャザー８は、特に限定されず、例えば、従来公知のものを用いることができる。具体的には、例えば、２本のウレタンフィラメント（例えば、東レデュポン社製、６２０ｄｔｅｘ）を先端につけたＳＭＳ（例えば、Ａｖｇｏｌ社製、目付量１３ｇ／ｍ2）のサイドシートからなる。スタンディングレッグギャザー８のサイドシートは、左右両側端部で第１防漏体２と結合する一方、内側で第１スキンコンタクトシートＡの上面に結合し、立ち上がって折り返された先端部で着用者の肌に接触するように配置されている。
【００６９】
第１スキンコンタクトシートＡおよび第２スキンコンタクトシートＢには、尿の透過に用いられる前部開口Ｐが前身頃部に、便の透過に用いられる後部開口Ｑが後身頃部にそれぞれ設けられている。前部開口Ｐと後部開口Ｑとの間には、第１スキンコンタクトシートＡおよび第２スキンコンタクトシートＢと、これらに挾まれた伸縮材料とからなる架橋部材５が形成されており、上述したように左右両側のスタンディングレッグギャザー８のサイドシートと結合することにより、これらを架橋している。
【００７０】
架橋部材５は、着用時には、会陰（肛門と性器との間）に位置し、尿と便とを分離する。尿と便との分離を確実にするために、架橋部材５の幅（前後方向の長さ）は、中央部で２５ｍｍであり、左右両側に向かって広くなっている。
【００７１】
架橋部材５を構成する第１スキンコンタクトシートＡと第２スキンコンタクトシートＢとの間には、前部開口Ｐの縁の後部の左側から後部開口Ｑの縁の前部の右側にかけて、および、前部開口Ｐの縁の後部の右側から後部開口Ｑの縁の前部の左側にかけて、それぞれ鎖線で示される２本のポリウレタンフィラメント（例えば、東レデュポン製、４７０ｄｔｅｘ）からなる伸縮材料がＸ字型に配置されている。
【００７２】
伸縮材料は、前身頃部および後身頃部においては、それぞれ、第１スキンコンタクトシートＡを介してスタンディングレッグギャザー８の折り返し部分の下側と結合している（図２および図４参照。）。
また、伸縮材料は、中央部においては、第１スキンコンタクトシートＡおよび第２スキンコンタクトシートＢとともに架橋部材５を構成している（図３参照。）。
【００７３】
吸収体物品１においては、架橋部材５が第１スキンコンタクトシートＡと第２スキンコンタクトシートＢとの間に伸縮材料を有するという構造を採るため、架橋部材５自体が全体に伸縮性を有している。また、スタンディングレッグギャザー８がウレタンフィラメントを有するという構造を採るため、スタンディングレッグギャザー８自体が全体に伸縮性を有している。
したがって、架橋部材５自体の伸縮性と、架橋部材５が結合するスタンディングレッグギャザー８の伸縮性とにより、架橋部材５が、着用者の脚の開閉等の動作の際にも、着用者の身体の動きに追従して着用者の会陰に接触した状態を維持する。これにより、尿と便とが効果的に分離される。
【００７４】
吸収体物品１においては、第１防漏体２の後側において吸収体３の上側に、トップシート４を介して、シート状の第２防漏体７が配置されている（図５参照。）。
第２防漏体７は、着用者から排出される便を受容して、吸収体３等が存在する下側に漏らさないように設けられている。
第２防漏体７は、ＳＭＳ（例えば、Ａｖｇｏｌ社製、目付量１８ｇ／ｍ2、耐水度１２０ｍｍＨ2Ｏ）から構成されていて、ほぼ後部開口Ｑの全体を下側から覆うように配置されている。
【００７５】
第２防漏体７の前端には、架橋部材５と結合する便ストップ部材６が配置されている。便ストップ部材６は、第２防漏体７と同じ材料で構成されている。
便ストップ部材６は、受容された便が前側に移動して第２防漏体の外側に出て尿と混ざることを防止し、また、尿受容部において受容された尿が後側に移動して第２防漏体の内側に入り便と混ざることを防止している。
【００７６】
図７に示されるように、吸収体物品１は、結合部１０において前身頃と後身頃とが結合しており、ウエストホールＷを形成するウエストギャザー９を備えるパンツ型おむつを構成している。
【００７７】
＜実施態様２＞
図８〜図１４は、別のパンツ型おむつの態様とした本発明の吸収体物品を示す模式図である。
図８は、平面展開図である。なお、図８は、図１４に示される結合部１０の付近を切断して展開した図であり、図８においては、図の上側に吸収体物品の前側が位置するように図示してある。
また、図９は、図８中のＸ１−Ｘ１′線に沿った横端面図であり、図１０は、図８中のＸ２−Ｘ２′線に沿った横端面図であり、図１１は、図８中のＸ３−Ｘ３′線に沿った横端面図であり、図１２は、図８中のＹ−Ｙ′線に沿った縦端面図である。
図１３は、図８中、架橋部材５の周辺部を示す模式的な平面図である。
図１４は着用時の状態を示す斜視図である。
図８〜図１４中、斜線部は接着剤を示す。
【００７８】
本発明の吸収体物品１は、基本的に、底面部を有するシート状の第１防漏体２と、第１防漏体２の前記底面部の左右両側において前後方向に延在する一対の側部部材５′と、第１防漏体２の前記底面部と側部部材５′とにより形成される内部空間に配置された、高吸水性樹脂を含有し体液を吸収しうる吸収体３と、一対の側部部材５′に一体的に結合してこれらを架橋し、かつ、前記内部空間を前後に仕切り、尿便分離機能を奏する架橋部材５とを具備し、架橋部材５および側部部材５′が伸縮性を有することにより、架橋部材５が左右方向に伸縮可能である、吸収体物品である。
【００７９】
図８に示される吸収体物品１においては、左右両側にレッグホールＬＨを形成する底面部を有するシート状の第１防漏体２上に、Ｃ型形状に折りたたまれたシート状の吸収体３が配置され、その上には液透過性のＰＰ製サーマルボンド（例えば、レンゴー（株）製、目付量２０ｇ／ｍ2）からなるトップシート４、更に、その上には最表面で着用者の肌に接するスキンコンタクトシートが配置されている。
スキンコンタクトシートは、上層の第１スキンコンタクトシートＡと下層の第２スキンコンタクトシートＢとの２層構造からなる。第１スキンコンタクトシートＡは、疎水性のＰＰＳＢ（例えば、Ｔｏｒａｙ  Ｓａｅｈａｎ社製、目付量１３ｇ／ｍ2）であり、第２スキンコンタクトシートＢは、耐水性のＰＰＳＭＳ（Ｔｏｒａｙ  Ｓａｅｈａｎ社製、目付量１５ｇ／ｍ2）である。第１スキンコンタクトシートＡと第２スキンコンタクトシートＢとの間には、後述する伸縮材料が挟みこまれている。
【００８０】
第１防漏体２の底面部の左右両端には、レッグギャザー１１が前後方向に延在している。
レッグギャザー１１は、特に限定されず、例えば、従来公知のものを用いることができる。具体的には、例えば、２本のウレタンフィラメント（例えば、東レデュポン社製、６２０ｄｔｅｘ）を第１スキンコンタクトシートＡと第１防漏体２で挟んだものが挙げられる。
【００８１】
第１スキンコンタクトシートＡおよび第２スキンコンタクトシートＢには、尿の透過に用いられる前部開口Ｐが前身頃部に、便の透過に用いられる後部開口Ｑが後身頃部にそれぞれ設けられている。前部開口Ｐと後部開口Ｑとの間には、第１スキンコンタクトシートＡおよび第２スキンコンタクトシートＢと、これらに挾まれた伸縮材料とからなる架橋部材５が形成されている。伸縮材料は、架橋部材５の左右方向の中央部には存在せず、その左右両側に存在している。
架橋部材５は、左右両側の側部部材５′と一体的に構成され、これらを架橋している。
【００８２】
架橋部材５は、着用時には、会陰に位置し、尿と便とを分離する。尿と便との分離を確実にするために、架橋部材５の幅（前後方向の長さ）は、中央部で２５ｍｍであり、左右両側に向かって広くなっている。
【００８３】
架橋部材５を構成する第１スキンコンタクトシートＡと第２スキンコンタクトシートＢとの間には、前部開口Ｐおよび後部開口Ｑの左右両側において縁に沿って、それぞれ鎖線で示される２本のポリウレタンフィラメント（例えば、東レデュポン製、６２０ｄｔｅｘ）からなる伸縮材料が配置されている。この伸縮材料は、前部開口Ｐおよび後部開口Ｑの縁に沿って半周状に２本のポリウレタンフィラメントを配置させた後、左右方向の中央部において、前後方向にスリット１２を設けるように、第１スキンコンタクトシートＡ（場合によっては、更に、第２スキンコンタクトシートＢ）とともに２本のポリウレタンフィラメントを切断し、伸縮材料にスナップバック（ｓｎａｐ−ｂａｃｋ）をさせて設けることができる。
【００８４】
伸縮材料は、前身頃部では第１スキンコンタクトシートＡおよび第２スキンコンタクトシートＢの前部開口Ｐおよび後部開口Ｑの縁に沿って左右対称に配置され（図９および図１１参照。）、中央部には存在しない（図１０参照。）。
【００８５】
吸収体物品１においては、架橋部材５が第１スキンコンタクトシートＡと第２スキンコンタクトシートＢとの間に伸縮材料を有し、かつ、その左右方向の中央部には有しないという構造を採るため、架橋部材５自体が中央部を除き伸縮性を有している。また、架橋部材５と一体的に構成されている側部部材５′が第１スキンコンタクトシートＡと第２スキンコンタクトシートＢとの間に伸縮材料を有するという構造を採るため、側部部材５′自体が全体に伸縮性を有している。
したがって、架橋部材５自体の伸縮性と、架橋部材５が一体的に結合する側部部材５′の伸縮性とにより、架橋部材５が、着用者の脚の開閉等の動作の際にも、着用者の身体の動きに追従して着用者の会陰に接触した状態を維持する。これにより、尿と便とが効果的に分離される。
【００８６】
また、架橋部材において、左右方向の中央部に伸縮材料を存在させないことにより、着用者の尿道口に接触する部分に平滑性を持たせ、体に密着しやすくなっているとともに、第２スキンコンタクトシートＢに耐水性を有するＳＭＳ等を使用しても、硬くならずに不織布の柔軟性を保持することができる。
【００８７】
吸収体物品１においては、第１防漏体２の後側において吸収体３の上側に、トップシート４を介して、シート状の第２防漏体７が配置されている（図１２参照。）。
第２防漏体７は、着用者から排出される便を受容して、吸収体３等が存在する下側に漏らさないように設けられている。
第２防漏体７は、ＳＭＳ（例えば、Ａｖｇｏｌ社製、目付量１８ｇ／ｍ2、耐水度１２０ｍｍＨ2Ｏ）から構成されていて、ほぼ後部開口Ｑの全体を下側から覆うように配置されている。
また、第２防漏体７としては、生理用ナプキンのトップシートとして用いられている漏斗状断面をもつ開口ポリエチレンフィルム（例えば、トレドガー社製の２２Ｈｅｘのもの）を用いるのも好ましい。
【００８８】
第２防漏体７の前端には、便ストップ部材６が結合しており、便ストップ部材６は、左右両端で第２スキンコンタクトシートＢと結合している。便ストップ部材６は、第２防漏体７と同じ材料で構成されている。
便ストップ部材６は、受容された便が前側に移動して第２防漏体の外側に出て尿と混ざることを防止し、また、尿受容部において受容された尿が後側に移動して第２防漏体の内側に入り便と混ざることを防止している。
【００８９】
図１４に示されるように、吸収体物品１は、結合部１０において前身頃と後身頃とが結合しており、ウエストホールＷを形成するウエストギャザー９を備えるパンツ型おむつを構成している。
【００９０】
＜実施態様３＞
図１５〜図２１は、ウエストバンド型おむつの態様とした本発明の吸収体物品を示す模式図である。
図１５は、平面展開図である。なお、図１５においては、図の上側に吸収体物品の前側が位置するように図示してある。
また、図１６は、図１５中のＸ１−Ｘ１′線に沿った横端面図であり、図１７は、図１５中のＸ２−Ｘ２′線に沿った横端面図であり、図１８は、図１５中のＸ３−Ｘ３′線に沿った横端面図であり、図１９は、図１５中のＹ−Ｙ′線に沿った縦端面図である。
図２０は、図１５中、架橋部材５の周辺部を示す模式的な平面図である。
図２１は着用時の状態を示す斜視図である。
図１５〜図２１中、斜線部は接着剤を示す。
【００９１】
図１５に示される吸収体物品１は、基本的に、底面部を有するシート状の第１防漏体２と、第１防漏体２の前記底面部の左右両側において前後方向に延在する、アウターレッグギャザー１８および縁部形状保持部材１９からなる一対の側部部材と、第１防漏体２の前記底面部と側部部材を構成するアウターレッグギャザー１８および縁部形状保持部材１９とにより形成される内部空間に配置された、高吸水性樹脂を含有し体液を吸収しうる吸収体３と、一対の側部部材を構成する縁部形状保持部材１９に結合してこれらを架橋し、かつ、前記内部空間を前後に仕切り、尿便分離機能を奏する架橋部材５とを具備し、架橋部材５および縁部形状保持部材１９が伸縮性を有することにより、架橋部材５が左右方向に伸縮可能である、吸収体物品である。
【００９２】
図１５に示される吸収体物品１においては、底面部を有するシート状の第１防漏体２上に、シート状の吸収体３が配置され、その上には液透過性のＰＰ製サーマルボンド（例えば、レンゴー（株）製、目付量２０ｇ／ｍ2）からなるトップシート４が配置され、これらが左右両側でＺ字型に折り込まれ、トップシート４が第１防漏体の延長部と接合することにより一体化して側部部材を補強している（図１６〜図１８参照。）。更に、左右方向の中央部においては、吸収体３とトップシート４との間にガイドシート１７が配置されている。
【００９３】
ガイドシート１７は、尿を移動させるための流路とを有する。
吸収体物品を使用する際、着用者の姿勢、着用位置等により、吸収体に吸収される尿の量が位置により大幅に偏ってしまうことがある。このような場合、本発明の吸収体物品がガイドシートを有すると、尿を多く吸収した吸収体から少ない部分へと、尿が移動し、その結果、偏りが緩和される。これにより、吸収体物品の実質的な尿吸収量および使用可能時間が長くなる。
【００９４】
ガイドシート１７は、尿の移動を可能とする流路を有する構造であれば特に限定されないが、体液吸収性や体液保持性を有しないのが、尿の移動が速やかに行われる点で好ましい。具体的には、凸部に開孔を有する凹凸シート部材（開孔凹凸シート部材）が好適に挙げられる。
【００９５】
開孔凹凸シート部材は、凹部と凸部を有する凹凸面を少なくとも一つの面として有する。開孔凹凸シート部材においては、多数の凹部が連なって体液の流路として機能する。開孔凹凸シート部材は、凸部が使用時に多少つぶれたとしても、体液の流通が阻害されないという利点を有する。
また、開孔凹凸シート部材においては、開孔も体液の流路として機能する。
【００９６】
開孔凹凸シート部材の材料としては、例えば、ＰＥ、ＰＰ、ＰＶＡ、ウレタン等の樹脂からなる体液不透過性のフィルムが挙げられる。
開孔凹凸シート部材の具体例としては、本発明者が国際公開第０２／０６５９６５号パンフレットにおいて提案したものが挙げられる。
【００９７】
ガイドシートとして開孔凹凸シート部材を用いる場合、開孔に体液が残存する、液残りが生じ、いわゆるリウェット値が悪くなることがある。この場合、開孔凹凸シート部材の下側に、親水性拡散シートを組み合わせて用いるのが好ましい。これにより、開孔に存在する体液が、親水性拡散シートに浸透して移動するので、リウェット値が大幅に低くなる。また、開孔凹凸シート部材が防漏体とずれることが防止され、形状安定性も向上する。
【００９８】
親水性拡散シートとしては、比較的目付の低い親水性不織布状物が好適に用いられる。親水性不織布状物としては、例えば、レーヨン、コットン、木材パルプ等を含有させたティッシュまたは親水性不織布が挙げられる。具体的には、ティッシュペーパー、レーヨンスパンボンド（例えば、ＴＣＦ、二村化学社製）、コットンスパンレース、レーヨン／ＰＰ混合スパンレース、レーヨン／ＰＥＴ混合スパンレースが挙げられる。
また、ＰＰ、ＰＥまたはＰＥＴのスパンボンド不繊布、ＰＰのサーマルポンド不繊布、ＰＥ／ＰＥＴのスルーエア不織布等の合繊不織布を界面活性剤等で表面処理することにより親水化した不繊布も挙げられる。
開孔凹凸シート部材と親水性拡散シートとは、単に重ね合わせて積層してもよく、ホットメルト、熱ラミネート等により複合化してもよい。
【００９９】
親水性拡散シートの下側には、体液不透過性シートを組み合わせて用いるのが好ましい。これにより、体液が親水性拡散シートと防漏体のシート部との間に一時的にも貯留されず、速やかに防漏体の袋部へと移動するようになる。体液不透過性シートの材料としては、例えば、ＰＥ、ＰＰ、ＰＶＡ、ウレタン等の樹脂からなるフィルムが挙げられる。
親水性拡散シートと体液不透過性シートとは、単に重ね合わせて積層してもよく、ホットメルト、熱ラミネート等により複合化してもよい。
また、親水性拡散シートを用いずに、開孔凹凸シート部材と体液不透過性シートとを組み合わせて用いてもよい。
開孔凹凸シート部材と体液不透過性シートとは、単に重ね合わせて積層してもよく、ホットメルト、熱ラミネート等により複合化してもよい。
【０１００】
第１防漏体２の底面部の左右両側には、一対の側部部材を構成するアウターレッグギャザー１８および縁部形状保持部材１９が前後方向に延在している。
アウターレッグギャザー１８は、特に限定されず、例えば、従来公知のものを用いることができる。具体的には、例えば、２本のウレタンフィラメント（例えば、東レデュポン社製、６２０ｄｔｅｘ）を先端につけたＳＭＳ（例えば、Ａｖｇｏｌ社製、目付量１３ｇ／ｍ2）のサイドシートからなる。アウターレッグギャザー１８のサイドシートは、左右両側端部で第１防漏体２と結合する一方、内側で架橋部材５の上面に結合しており、更に、立ち上がって折り返されるように形成された縁部形状保持部材１９で着用者の肌に接触するように配置されている。
縁部形状保持部材１９は、サイドシート内側の左右一対の縁部を外側に折り返すことによって５本のウレタンフィラメント（例えば、東レデュポン社製、４７０ｄｔｅｘ）を巻き込み、幅広に形成されている。
【０１０１】
本発明においては、側部部材の縁部が着用者の身体の動きに追随するのが好ましい。このためには、縁部形状保持部材が以下の二つの態様の一方または両方を具備するのが好ましい。
第１の態様は、側部部材の縁部を外側に折り返して形成された縁部形状保持部材である。この態様においては、折り返し部分が支点となって、折り返された部分が動きやすくなるため、フレキシブル性に優れる。
第２の態様は、それ自体が伸縮性を有する縁部形状保持部材である。糸ゴムまたは平ゴム（例えば、天然ゴム）、シート状伸縮部材等の伸縮性部材を使用し、その太さ、材質等を適宜選択することにより、縁部形状保持部材自体に伸縮性を持たせることができる。また、伸縮性を有する縁部形状保持部材は、その大きさ、形状等を特に限定されない。縁部形状保持部材が帯状であるのが好ましい態様の一つである。また、帯状の縁部形状保持部材の幅は、一般に、２〜８０ｍｍであるのが好ましく、乳幼児用においては５〜４０ｍｍであるのがより好ましく、大人用においては２０〜６０ｍｍであるのがより好ましい。
上述した縁部形状保持部材として、例えば、縁部形状保持部材１９を伸縮性を有するバンド状に形成し、左右平行に配置した態様（上記の両方を具備する態様）とすることが好適に挙げられる。これにより、縁部形状保持部材１９が男性の場合、睾丸の両側のくぼみ、女性の場合、大陰唇の両側のくぼみに沿って密着するようになり、それにより伸縮性を有する架橋部材を睾丸や大陰唇のふくらみに添って隙間なく位置させることが可能になる。
【０１０２】
また、縁部形状保持部材１９が、その前端および後端において、図１５に示されるウエストバンドや、サイドテープによって左右方向に伸張された状態に保たれることにより、着用者が脚を閉じた状態でも、左右の縁部形状保持部材１９の間隔（開口の幅）を、尿および便の受容に必要な程度に保つことができる。
【０１０３】
第１防漏体２の前記底面部と側部部材を構成するアウターレッグギャザー１８および縁部形状保持部材１９とにより形成される内部空間は、前見頃から後身頃にかけてチャネル状を呈している。この内部空間は、架橋部材５によって前後に分割され、前部が尿受容部Ｒ、後部が便受容部Ｓとなっている。
【０１０４】
架橋部材５は、着用時には、会陰に位置し、尿と便とを分離する。尿と便との分離を確実にするために、架橋部材５の幅（前後方向の長さ）は、中央部で２０ｍｍであり、左右両側に向かって広くなっている（図２０参照。）。
架橋部材５は、２枚のＳＭＳ（例えば、Ａｖｇｏｌ社製、目付量１３ｇ／ｍ2）の間に、３本のウレタンフィラメント（例えば、東レデュポン社製、４７０ｄｔｅｘ）からなる伸縮材料が左右方向の中央部に配置された状態で挟まれた構造となっている。
【０１０５】
吸収体物品１においては、第１防漏体２の後側において吸収体３の上側に、トップシート４を介して、シート状の第２防漏体７が配置されている（図５参照。）。
第２防漏体７は、着用者から排出される便を受容して、吸収体３等が存在する下側に漏らさないように設けられている。
第２防漏体７は、ＰＥフィルムをラミネートされたＰＰＳＢ（例えば、Ｔｏｒａｙ  Ｓａｅｈａｎ社製、目付量１３ｇ／ｍ2）から構成されており、便受容部Ｓの全体にわたって配置されている。
【０１０６】
第２防漏体７の前端には、架橋部材５と結合する便ストップ部材６が配置されている。便ストップ部材６は、第２防漏体７と同じ材料で構成されている。
また、第２防漏体７としては、ＳＭＳ（例えば、Ａｖｇｏｌ社製、目付量１５ｇ／ｍ2、耐水度１２０ｍｍＨ2Ｏ）にＰＥＴウェブ（例えば、６Ｄ／５１ｍｍステープルファイバーのウェブ、目付量２０ｇ／ｍ2）を、１０ｍｍ間隔のウォータージェットを用いて絡ませ、積層した複合シートを用いるのも好ましい。この場合、ＳＭＳの側を上側にして、ほぼ後部開口Ｑの全体を下側から覆うように配置される。
便ストップ部材６は、受容された便が前側に移動して第２防漏体の外側に出て尿と混ざることを防止し、また、尿受容部において受容された尿が後側に移動して第２防漏体の内側に入り便と混ざることを防止している。
【０１０７】
吸収体物品１の前部においては、縁部形状保持部材１９およびアウターレッグギャザー１８の下にトップシート４が位置し、左右方向の中央部では、表面にトップシート４が露出している（図１６参照。）。
吸収体物品１の前後方向の中央部においては、表面に架橋部材５が位置し、その左右端部が縁部形状保持部材１９の下面と結合しており、その下には便ストップ部材６が位置し、その下にそれと結合する第２防漏体７が位置している（図１７参照。）。
吸収体物品１の後部においては、表面に第２防漏体７が位置し、その左右両端は、縁部形状保持部材１９とアウターレッグギャザー１８とを形成するサイドシートと結合している。
【０１０８】
吸収体物品１においては、２枚のＳＭＳの間に伸縮材料が左右方向の中央部に配置された状態で挟まれた構造を採るため、架橋部材５自体が左右方向の中央部において伸縮性を有している。また、縁部形状保持部材１９がウレタンフィラメントを有するという構造を採るため、縁部形状保持部材１９自体が全体に伸縮性を有している。
したがって、架橋部材５自体の伸縮性と、架橋部材５が結合する縁部形状保持部材１９の伸縮性とにより、架橋部材５が、着用者の脚の開閉等の動作の際にも、着用者の身体の動きに追従して着用者の会陰に接触した状態を維持する。これにより、尿と便とが効果的に分離される。
【０１０９】
図１５および図１９に示されるように、左右の縁部形状保持部材１９の上にはその両者を渡すように、吸収体物品１の前後にそれぞれ前方シール部材１３および後方シール部材１４が配置されている。前方シール部材１３および後方シール部材１４は、いずれもＰＥフィルムをラミネートされたＰＰＳＢ（例えば、Ｔｏｒａｙ  Ｓａｅｈａｎ社製、目付量１３ｇ／ｍ2）で構成されており、その前端または後端で、トップシート４と結合している。
前方シール部材１３は、第１防漏体２の底面部と一対の側部部材の前端から上部の前側にかけての部分とに結合して、第１防漏体２の前側の開口を閉鎖する。また、後方シール部材１４は、第１防漏体２の底面部と一対の側部部材の後端から上部の後側にかけての部分とに結合して、第１防漏体２の後側の開口を閉鎖する。
前方シール部材１３は、排出された尿が、第１防漏体２の前側の開口から、外部へ漏れることを防止する。また、後方シール部材１４は、排出された便が、第１防漏体２の後の開口から、外部へ漏れることを防止する。
【０１１０】
吸収体物品１の後端部付近には、ウエストバンド２０が配置されている。ウエストバンド２０は、１５本のウレタンフィラメント（例えば、東レデュポン社製、４７０ｄｔｅｘ）を２枚のＳＭＳ（例えば、Ａｖｇｏｌ社製、目付量１３ｇ／ｍ2）で挟み込んだ構造を有している。
ウエストバンド２０の左右両端には、フック材１５が設けられ、第１防漏体２の前部の下側に設けられたループ材１６と着脱可能になっている。
【０１１１】
図２１に示されるように、吸収体物品１は、着用時に、フック材１５とループ材１６とが結合してウエストホールＷを形成する、ウエストバンド型おむつを構成している。
【０１１２】
＜実施態様４＞
図３３〜図３５は、別のウエストバンド型おむつの態様とした本発明の吸収体物品を示す模式図である。
図３３は、平面展開図である。なお、図３３においては、図の上側に吸収体物品の前側が位置するように図示してある。
図３４は、図３３中のＸ−Ｘ′線に沿った横端面図である。
図３５は着用時の状態を示す斜視図である。
図３４中、網掛け部は接着剤を示す。
【０１１３】
図３３に示される吸収体物品１は、基本的に、底面部を有するシート状の第１防漏体２と、第１防漏体２の前記底面部の左右両側において前記底面部と一体的に形成された前記第１防漏体の一対の延長部と前記延長部の縁部にそれぞれ沿って設けられた一対の縁部形状保持部材１９とから構成されている一対の側部部材と、第１防漏体２の前記底面部と前記側部部材とにより形成される内部空間に配置された、高吸水性樹脂を含有し体液を吸収しうる吸収体３と、一対の側部部材の内面に結合してこれらを架橋する架橋部材５と、前記内部空間を前後に仕切る尿便分離機能を奏する尿便分離部材２２とを具備し、架橋部材５の左右方向の中央部（波線部）が伸縮性を有することにより、架橋部材５が左右方向に伸縮可能である、吸収体物品である。
【０１１４】
図３３に示される吸収体物品１においては、底面部を有するシート状の第１防漏体２は、底面部の左右両側において前後方向に延在する一対の側部部材が中側に折り返されている。第１防漏体２の側部部材の縁部には、縁部形状保持部材１９がほぼ全長にわたって設けられている。
この縁部形状保持部材１９の前側の部分は、本発明の吸収体物品の着用時において、尿道口の両側および前側に位置してその上表面が着用者の体と接触して、吸収体物品を弾力的に固定し、尿道口が吸収体物品と直接接触しないように、または、接触しても尿道口に強い圧力がかからないようにする。このようにすることにより、着用時における尿道口への圧迫感をなくすことができる。また、左右の二つの縁部形状保持部材１９の間に形成される空間が、尿の流路となるため、着用者の尿道口およびその周囲が濡れるだけで、その他の部位を濡らすことなく、排尿することができる。
また、吸収体物品１の前側においては、左右の二つの縁部形状保持部材１９の間に性器が収容され、また、前側の縁部形状保持部材１９が着用者の体と密着する。
【０１１５】
吸収体物品１の後側においては、臀部の丸みに沿って縁部形状保持部材１９が着用者の肌に密着するようになる。
【０１１６】
第１防漏体２の側部部材は、ひだ状に形成されており、途中の折り返し部分により、上下２段に分かれている。これにより、より多量の尿を吸収することが可能になり、長時間の装着に耐えられるようになっている。
第１防漏体２の下段および上段には、ほぼ長方形の吸収体３が左右に分かれて配置されている。吸収体３が左右に分かれて存在するので、吸収体３が尿を吸収すると、中央部の容積がより大きくなる。
上段における左右の吸収体３の上側には、左右方向の中央部をまたいでトップシート４が配置されている。トップシート４は、実施態様１と同様のものを用いることができる。
【０１１７】
前後方向の中央付近には、架橋部材５が設けられている。また、架橋部材５の下面には尿便分離部材２２が結合している。尿便分離部材２２は、その下側がトップシート４と接着剤により結合しており、これにより内部空間が前後に分割され、前部が尿受容部、後部が便受容部となっている。
【０１１８】
図３３に示されるように、実施態様３と同様に、左右の縁部形状保持部材１９の上にはその両者を渡すように、吸収体物品１の前後にそれぞれ前方シール部材１３および後方シール部材１４が配置されている。
【０１１９】
図３５に示されるように、吸収体物品１は、実施態様３と同様に、着用時に、フック材１５とループ材１６とが結合してウエストホールＷを形成する、ウエストバンド型おむつを構成している。
【０１２０】
＜実施態様５＞
図３６〜図３８は、テープ型おむつの態様とした本発明の吸収体物品を示す模式図である。
図３６は、平面展開図である。なお、図３６においては、図の上側に吸収体物品の前側が位置するように図示してある。
図３７は、図３６中のＸ−Ｘ′線に沿った横端面図である。
図３８は着用時の状態を示す斜視図である。
図３７中、網掛け部は接着剤を示す。
【０１２１】
図３６に示される吸収体物品１は、基本的に、底面部を有するシート状の第１防漏体２と、第１防漏体２の前記底面部の左右両端に設けられたレッグギャザー１１からなる前後方向に延在する一対の側部部材と、第１防漏体２の前記底面部と前記側部部材とにより形成される内部空間に配置された、高吸水性樹脂を含有し体液を吸収しうる吸収体３と、一対の側部部材の外面に結合してこれらを架橋する架橋部材５と、前記内部空間を前後に仕切る尿便分離機能を奏する尿便分離部材２２とを具備し、架橋部材５の全体が伸縮性を有し、左右方向に伸縮可能である、吸収体物品である。
【０１２２】
図３６に示される吸収体物品１においては、左右両側にレッグホールＬＨを形成する底面部を有するシート状の第１防漏体２上に、シート状の吸収体３が配置され、その上にはトップシート４が配置されている。トップシート４は、実施態様１と同様のものを用いることができる。
【０１２３】
前後方向の中央付近には、架橋部材５が設けられている。また、架橋部材５の下面には尿便分離部材２２が結合している。尿便分離部材２２は、その下側がトップシート４と接着剤により結合しており、これにより内部空間が前後に分割され、前部が尿受容部、後部が便受容部となっている。
【０１２４】
第１防漏体２の底面部の左右両端には、レッグギャザー１１が前後方向に延在している。レッグギャザー１１は、実施態様２と同様のものを用いることができる。
【０１２５】
吸収体物品１は、図３８に示されるように、着用時には、結合用テープ２３により、第１防漏体２の前端と後端とが結合し、一つのウエストホールＷと二つのレッグホールＬＨとを形成する。
【０１２６】
＜実施態様６＞
図３９〜図４１は、更に別のパンツ型おむつの態様とした本発明の吸収体物品を示す模式図である。
図３９は、平面展開図である。なお、図３９は、図３１に示される結合部１０の付近を切断して展開した図であり、図３９においては、図の上側に吸収体物品の前側が位置するように図示してある。
図４０は、図３９中のＸ−Ｘ′線に沿った横端面図である。
図４１は着用時の状態を示す斜視図である。
図４０中、斜線部は接着剤を示す。
【０１２７】
本発明の吸収体物品１は、基本的に、底面部を有するシート状の第１防漏体２と、第１防漏体２の前記底面部の左右両端に設けられた、前記底面部に結合する不織布からなる脚部と前記脚部に結合する弾性体を有する頭部とから構成されているスタンディングレッグギャザー８からなる一対の側部部材と、第１防漏体２の前記底面部とスタンディングレッグギャザー８とにより形成される内部空間に配置された、高吸水性樹脂を含有し体液を吸収しうる吸収体３と、一対の側部部材であるスタンディングレッグギャザー８に結合してこれらを架橋する架橋部材５と、前記内部空間を前後に仕切る尿便分離機能を奏する尿便分離部材２２とを具備し、架橋部材５およびスタンディングレッグギャザー８が伸縮性を有することにより、架橋部材５が左右方向に伸縮可能である、吸収体物品である。
【０１２８】
図３９に示される吸収体物品１においては、左右両側にレッグホールＬＨを形成する底面部を有するシート状の第１防漏体２上に、シート状の吸収体３が配置され、その上にはトップシート４が配置されている。トップシート４は、実施態様１と同様のものを用いることができる。
【０１２９】
前後方向の中央付近には、架橋部材５が設けられている。また、架橋部材５の下面には尿便分離部材２２が結合している。尿便分離部材２２は、その下側がトップシート４と接着剤により結合しており、これにより内部空間が前後に分割され、前部が尿受容部、後部が便受容部となっている。
【０１３０】
架橋部材５は、２枚のＳＭＳ（例えば、Ａｖｇｏｌ社製、目付量１３ｇ／ｍ2）の間に、３本のウレタンフィラメント（例えば、東レデュポン社製、４７０ｄｔｅｘ）からなる伸縮材料が左右方向の中央部に配置された状態で挟まれた構造となっている。
【０１３１】
第１防漏体２の底面部の左右両側には、一対の側部部材であるスタンディングレッグギャザー８が前後方向に延在している。スタンディングレッグギャザー８は、実施態様１と同様のものを用いることができる。
【０１３２】
図３９に示されるように、実施態様３と同様に、左右のスタンディングレッグギャザー８の上にはその両者を渡すように、吸収体物品１の前後にそれぞれ前方シール部材１３および後方シール部材１４が配置されている。
【０１３３】
吸収体物品１においては、架橋部材５自体が全体に伸縮性を有している。また、スタンディングレッグギャザー８自体が全体に伸縮性を有している。
したがって、架橋部材５自体の伸縮性と、架橋部材５が結合するスタンディングレッグギャザー８の伸縮性とにより、架橋部材５が、着用者の脚の開閉等の動作の際にも、着用者の身体の動きに追従して着用者の会陰に接触した状態を維持する。これにより、尿と便とが効果的に分離される。
【０１３４】
図４１に示されるように、吸収体物品１は、結合部１０において前身頃と後身頃とが結合しており、ウエストホールＷを形成するウエストギャザー９を備えるパンツ型おむつを構成している。
【０１３５】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【０１３６】
本発明の吸収体物品は、成人男性用、成人女性用および子供用のいずれの用途にも好適に用いられる。
【実施例】
【０１３７】
以下に、実施例を示して本発明を具体的に説明する。ただし、本発明はこれらに限られるものではない。
１．吸収体物品
実施例としては、図１〜図７に示される本発明の吸収体物品および図１５〜図２１に示される本発明の吸収体物品を用いた。吸収体としては、ＳＡＰの分散スラリーを不織布の上にコーティングする方法で得られる高吸水性シート（（株）日本吸収体技術研究所製のＭｅｇａＴｈｉｎ（登録商標）、ＳＡＰ目付量１８０ｇ／ｍ2）を用いた。吸収体は、大きさが縦３５０ｍｍ、横１６０ｍｍであり、左右両端を内側に折り、Ｃ型の形状で吸収体物品に配置されていた。
吸収体物品における高吸収性シート中のＳＡＰ量は１０ｇであり、設計自由吸水量は５００ｍＬであり、設計脱水保水量は３００ｍＬであった。
なお、設計自由吸収量は、ＪＩＳ  Ｋ７２２３−１９９６の「高吸収性樹脂の吸収量試験方法」の規定に準じて行った。設計脱水保水量は、設計自由吸収量を測定した後、１，０００Ｇで１０分間遠心分離をすることにより脱水して求めた。
【０１３８】
２．着用試験
正常な排尿機構および排便機構を持つ乳幼児６名（男児３名および女児３名）に、上記吸収体物品を着用させた。着用者には、通常どおりの生活をさせ、なるべく排便をするまで着用させた。
このようにして着用試験を行い、着用時の着用者の覚醒・睡眠状態および主な体位、着用時間、尿および便の吸収量、排便の有無、便の種類、尿便分離の状態ならびに性器および肛門付近の汚れの状態を調べた。
着用試験は、着用者１名につき、４回行った（着用試験は、２回目以降も未使用の吸収体物品を用いて行った。）。
図１〜図７に示される本発明の吸収体物品についての全２４回の着用試験の結果を第１表および第２表に示す。図１５〜図２１に示される本発明の吸収体物品についての全４０回の着用試験の結果を第３表および第４表に示す。
第１表および第３表には、着用時の着用者の覚醒・睡眠状態ごとに、主な体位、着用時間（平均値）、尿および便の吸収量（平均値）、使用数および排便数（排便があったものの数）を示した。
また、第２表および第４表には、排便があった場合において、便の種類および男女ごとに、尿便分離の成功数および成功率ならびに性器および肛門付近の汚れの状態を示した。なお、便の種類は、便に含まれる水分の量によって、普通便と、軟便・水様便とに分けた。また、尿便分離の状態の評価は、便受容部に便が分離されて収容されているかどうかにより成功か否かを決定した。
【０１３９】
【表１】
2007236911.tif 000003
【０１４０】
【表２】
2007236911.tif 000004
【０１４１】
【表３】
2007236911.tif 000005
【０１４２】
【表４】
2007236911.tif 000006
【０１４３】
第１表および第２表ならびに第３表および第４表から明らかなように、本発明の吸収体物品を用いた場合、普通便については尿便分離が１００％成功し、通常、おむつ全体に広がってしまう軟便や水様便についても、５７％（図１〜図７に示される本発明の吸収体物品の場合）または６９％（図１５〜図２１に示される本発明の吸収体物品の場合）成功した。また、汚れは、普通便についてはほとんどなく、軟便や水様便についても肛門周辺のみの汚れであり、広範囲の汚れはなかった。
【図面の簡単な説明】
【０１４４】
【図１】パンツ型おむつの態様とした本発明の吸収体物品を示す模式的な平面展開図である。
【図２】パンツ型おむつの態様とした本発明の吸収体物品の図１中のＸ１−Ｘ１′線に沿った横端面図である。
【図３】パンツ型おむつの態様とした本発明の吸収体物品の図１中のＸ２−Ｘ２′線に沿った横端面図である。
【図４】パンツ型おむつの態様とした本発明の吸収体物品の図１中のＸ３−Ｘ３′線に沿った横端面図である。
【図５】パンツ型おむつの態様とした本発明の吸収体物品の図１中のＹ−Ｙ′線に沿った縦端面図である。
【図６】パンツ型おむつの態様とした本発明の吸収体物品の図１中の架橋部材の周辺部を示す模式的な平面図である。
【図７】パンツ型おむつの態様とした本発明の吸収体物品の着用時の状態を示す模式的な斜視図である。
【図８】別のパンツ型おむつの態様とした本発明の吸収体物品を示す模式的な平面展開図である。
【図９】別のパンツ型おむつの態様とした本発明の吸収体物品の図８中のＸ１−Ｘ１′線に沿った横端面図である。
【図１０】別のパンツ型おむつの態様とした本発明の吸収体物品の図８中のＸ２−Ｘ２′線に沿った横端面図である。
【図１１】別のパンツ型おむつの態様とした本発明の吸収体物品の図８中のＸ３−Ｘ３′線に沿った横端面図である。
【図１２】別のパンツ型おむつの態様とした本発明の吸収体物品の図８中のＹ−Ｙ′線に沿った縦端面図である。
【図１３】別のパンツ型おむつの態様とした本発明の吸収体物品の図８中の架橋部材の周辺部を示す模式的な平面図である。
【図１４】別のパンツ型おむつの態様とした本発明の吸収体物品の着用時の状態を示す模式的な斜視図である。
【図１５】ウエストバンド型おむつの態様とした本発明の吸収体物品を示す模式的な平面展開図である。
【図１６】ウエストバンド型おむつの態様とした本発明の吸収体物品の図１５中のＸ１−Ｘ１′線に沿った横端面図である。
【図１７】ウエストバンド型おむつの態様とした本発明の吸収体物品の図１５中のＸ２−Ｘ２′線に沿った横端面図である。
【図１８】ウエストバンド型おむつの態様とした本発明の吸収体物品の図１５中のＸ３−Ｘ３′線に沿った横端面図である。
【図１９】ウエストバンド型おむつの態様とした本発明の吸収体物品の図１５中のＹ−Ｙ′線に沿った縦端面図である。
【図２０】ウエストバンド型おむつの態様とした本発明の吸収体物品の図１５中の架橋部材の周辺部を示す模式的な平面図である。
【図２１】ウエストバンド型おむつの態様とした本発明の吸収体物品の着用時の状態を示す模式的な斜視図である。
【図２２】左右方向の全体に伸縮性部分を有する架橋部材の種々の例を示す模式的な平面図である。
【図２３】左右方向の中央部に非伸縮性部分を有し、左右両側に伸縮性部分を有する架橋部材の種々の例を示す模式的な平面図である。
【図２４】左右方向の中央部に伸縮性部分を有し、左右両側に非伸縮性部分を有する架橋部材の種々の例を示す模式的な平面図である。
【図２５】側部部材および架橋部材が伸縮性材料により一体的に構成されている架橋部材の種々の例を示す模式的な平面図である。
【０１４５】
【図２６】架橋部材の形状の種々の例を示す模式的な縦端面図である。
【図２７】本体結合部材の種々の配置の例を示す模式的な縦端面図である。
【図２８】本体結合部材の種々の配置の例を示す模式的な横端面図である。
【図２９】尿便分離部材の種々の形状および配置の例を示す模式的な縦端面図である。
【図３０】一部または全体に伸縮性を有する架橋部材の種々の例を示す模式的な平面図である。
【図３１】便ストップ部材の種々の配置の例を示す模式的な縦端面図である。
【図３２】本体結合部材の種々の配置の例を示す模式的な縦端面図である。
【図３３】ウエストバンド型おむつの態様とした本発明の吸収体物品を示す模式的な平面展開図である。
【図３４】ウエストバンド型おむつの態様とした本発明の吸収体物品の図３３中のＸ−Ｘ′線に沿った横端面図である。
【図３５】ウエストバンド型おむつの態様とした本発明の吸収体物品の着用時の状態を示す模式的な斜視図である。
【図３６】テープ型おむつの態様とした本発明の吸収体物品を示す模式的な平面展開図である。
【図３７】テープ型おむつの態様とした本発明の吸収体物品の図３６中のＸ−Ｘ′線に沿った横端面図である。
【図３８】テープ型おむつの態様とした本発明の吸収体物品の着用時の状態を示す模式的な斜視図である。
【図３９】パンツ型おむつの態様とした本発明の吸収体物品を示す模式的な平面展開図である。
【図４０】パンツ型おむつの態様とした本発明の吸収体物品の図３９中のＸ−Ｘ′線に沿った横端面図である。
【図４１】パンツ型おむつの態様とした本発明の吸収体物品の着用時の状態を示す模式的な斜視図である。
【図４２】第１防漏体の底面部および側部部材の配置を示す模式図である。
【図４３】側部部材と全体に伸縮性を有する架橋部材との位置関係を示す模式的な平面図である。
【図４４】側部部材と全体に伸縮性を有する架橋部材との位置関係を示す模式的な平面図である。
【図４５】取り外し可能な第２防漏体および／または便処理用シートの種々の配置の例を示す模式的な縦端面図である。
【符号の説明】
【０１４６】
１  吸収体物品
２  第１防漏体
３  吸収体
４  トップシート
５  架橋部材
６  便ストップ部材
７  第２防漏体
８  スタンディングレッグギャザー
９  ウエストギャザー
１０  結合部
１１  レッグギャザー
１２  スリット
１３  前方シール部材
１４  後方シール部材
１５  フック材
１６  ループ材
１７  ガイドシート
１８  アウターレッグギャザー
１９  縁部形状保持部材
２０  ウエストバンド
２１  本体結合部材
２２  尿便分離部材
２３  結合用テープ
２４  便処理用シート
２５  側部部材
Ａ  第１スキンコンタクトシート
Ｂ  第２スキンコンタクトシート
ＬＨ  レッグホール
Ｐ  前部開口
Ｑ  後部開口
Ｒ  尿受容部
Ｓ  便受容部
Ｗ  ウエストホール
【図１】
2007236911.tif 000007
【図２】
2007236911.tif 000008
【図３】
2007236911.tif 000009
【図４】
2007236911.tif 000010
【図５】
2007236911.tif 000011
【図６】
2007236911.tif 000012
【図７】
2007236911.tif 000013
【図８】
2007236911.tif 000014
【図９】
2007236911.tif 000015
【図１０】
2007236911.tif 000016
【図１１】
2007236911.tif 000017
【図１２】
2007236911.tif 000018
【図１３】
2007236911.tif 000019
【図１４】
2007236911.tif 000020
【図１５】
2007236911.tif 000021
【図１６】
2007236911.tif 000022
【図１７】
2007236911.tif 000023
【図１８】
2007236911.tif 000024
【図１９】
2007236911.tif 000025
【図２０】
2007236911.tif 000026
【図２１】
2007236911.tif 000027
【図２２】
2007236911.tif 000028
【図２３】
2007236911.tif 000029
【図２４】
2007236911.tif 000030
【図２５】
2007236911.tif 000031
【図２６】
2007236911.tif 000032
【図２７】
2007236911.tif 000033
【図２８】
2007236911.tif 000034
【図２９】
2007236911.tif 000035
【図３０】
2007236911.tif 000036
【図３１】
2007236911.tif 000037
【図３２】
2007236911.tif 000038
【図３３】
2007236911.tif 000039
【図３４】
2007236911.tif 000040
【図３５】
2007236911.tif 000041
【図３６】
2007236911.tif 000042
【図３７】
2007236911.tif 000043
【図３８】
2007236911.tif 000044
【図３９】
2007236911.tif 000045
【図４０】
2007236911.tif 000046
【図４１】
2007236911.tif 000047
【図４２】
2007236911.tif 000048
【図４３】
2007236911.tif 000049
【図４４】
2007236911.tif 000050
【図４５】
2007236911.tif 000051